(57)【要約】識別されたチャネルアクセスパラメータまたは以前使用された送信パラメータに基づいてチャネルアクセスまたは送信パラメータを動的に適応させるためのシステムおよび方法が開示される。ある態様では、ワイヤレスネットワークを通した通信のための電子デバイスが開示される。電子デバイスは、複数のルールのうちの１つのルールを識別するメッセージを生成するように構成されたプロセッサを備える。複数のルールの各々は、識別されたチャネルアクセスパラメータに基づいて通信パラメータの値を適応させるためのプロセスを定義する。また、複数のルールの各々は、電子デバイスとの通信に関する特定のサービス品質および特定の優先度を定める。電子デバイスは、メッセージを局に送信するように構成されたトランシーバをさらに備える。【選択図】  図１Ｂ
2016528795.tif 000002
【特許請求の範囲】
【請求項１】
ワイヤレスネットワークを通した通信のための電子デバイスであって、
複数のルールのうちの１つのルールを識別するメッセージを生成するように構成されたプロセッサ、ここで、前記複数のルールの各々は、識別されたチャネルアクセスパラメータに基づいて通信パラメータの値を適応させるためのプロセスを定義し、前記複数のルールの各々は、前記電子デバイスとの通信に関する特定のサービス品質および特定の優先度を定める、と、
前記メッセージを局に送信するように構成されたトランシーバと
を備える電子デバイス。
【請求項２】
前記１つのルールは、前記局から送信されるデータの各パケットに適用される、請求項１に記載の電子デバイス。
【請求項３】
前記１つのルールは、単一の送信機会内に前記局から送信されるデータのすべてのパケットに適用される、請求項１に記載の電子デバイス。
【請求項４】
前記通信パラメータは、送信機会であり、
前記１つのルールは、前記送信機会の値を、前記電子デバイスと通信状態にある少なくとも２つの局に対して同じ値となるように適応させるためのプロセスを定義する、
請求項１に記載の電子デバイス。
【請求項５】
前記通信パラメータは、送信機会であり、
前記識別されたチャネルアクセスパラメータは、前記局から前記電子デバイスへのデータの送信のレートであり、
前記１つのルールは、前記局から前記電子デバイスへの前記データの送信のレートに基づいて、前記送信機会の値を適応させるためのプロセスを定義する、
請求項１に記載の電子デバイス。
【請求項６】
前記識別されたチャネルアクセスパラメータは、送信機会リミットであり、
前記１つのルールは、前記送信機会リミットの凸関数として、通信パラメータの値を適応させるためのプロセスを定義する、
請求項１に記載の電子デバイス。
【請求項７】
前記トランシーバは、ビーコンフレームで前記メッセージを前記局に送信するように構成される、請求項１に記載の電子デバイス。
【請求項８】
前記トランシーバは、アソシエーション応答フレームで前記メッセージを前記局に送信するように構成される、請求項１に記載の電子デバイス。
【請求項９】
前記トランシーバは、時間インターバルの終了後に、前記メッセージを前記局に送信するように構成される、請求項１に記載の電子デバイス。
【請求項１０】
前記通信パラメータは、最小コンテンションウィンドウ、最大コンテンションウィンドウ、フレーム間スペース、およびクリアチャネルアセスメント閾値レベルを含むグループから選択されるチャネルアクセスパラメータである、請求項１に記載の電子デバイス。
【請求項１１】
前記通信パラメータは、伝送電力および再送リミットを含むグループから選択される送信パラメータである、請求項１に記載の電子デバイス。
【請求項１２】
ワイヤレスネットワークを通した通信のための局であって、
複数のルールのうち１つのルールを識別するメッセージを電子デバイスから受信するように構成されたトランシーバ、ここで、前記複数のルールの各々は、識別されたチャネルアクセスパラメータに基づいて通信パラメータの値を適応させるためのプロセスを定義し、前記複数のルールの各々は、前記電子デバイスとの通信に関する特定のサービス品質および特定の優先度を定める、と、
識別されたチャネルアクセスパラメータに基づいて通信パラメータの値を適応させるように前記１つのルールによって構成されたプロセッサと、
を備え、
前記トランシーバは、前記適応された前記通信パラメータの値を使用してデータのパケットを前記電子デバイスに送信するように構成される、局。
【請求項１３】
前記１つのルールは、前記局から送信されるデータの各パケットに適用される、請求項１２に記載の局。
【請求項１４】
前記１つのルールは、単一の送信機会内に前記局から送信されるデータのすべてのパケットに適用される、請求項１２に記載の局。
【請求項１５】
前記通信パラメータは、送信機会であり、
前記識別されたチャネルアクセスパラメータは、前記トランシーバによるデータのパケットの送信のレートであり、
前記１つのルールは、前記局から前記電子デバイスへの前記データの送信のレートに基づいて、前記送信機会の値を適応させるためのプロセスを定義する、
請求項１２に記載の局。
【請求項１６】
前記識別されたチャネルアクセスパラメータは、送信機会リミットであり、
前記１つのルールは、前記送信機会リミットの凸関数として、通信パラメータの値を適応させるためのプロセスを定義する、
請求項１２に記載の局。
【請求項１７】
前記メッセージは、ビーコンフレームを備える、請求項１２に記載の局。
【請求項１８】
前記メッセージは、アソシエーション応答フレームを備える、請求項１２に記載の局。
【請求項１９】
前記トランシーバは、時間インターバルの終了後に、データのパケットを送信するように構成される、請求項１２に記載の局。
【請求項２０】
前記通信パラメータは、最小コンテンションウィンドウ、最大コンテンションウィンドウ、フレーム間スペース、およびクリアチャネルアセスメント閾値レベルを含むグループから選択されるチャネルアクセスパラメータである、請求項１２に記載の局。
【請求項２１】
前記通信パラメータは、伝送電力および再送リミットを含むグループから選択される送信パラメータである、請求項１２に記載の局。
【請求項２２】
ワイヤレスネットワークを通した通信のための方法であって、
複数のルールのうちの１つのルールを識別するメッセージを生成すること、ここで、前記複数のルールの各々は、識別されたチャネルアクセスパラメータに基づいて通信パラメータの値を適応させるためのプロセスを定義し、前記複数のルールの各々は、局からの通信に関する特定の優先度および特定のサービス品質を定める、と、
前記メッセージを前記局に送信することと
を備える方法。
【請求項２３】
前記１つのルールは、前記局から送信されるデータの各パケットに適用される、請求項２２に記載の方法。
【請求項２４】
前記１つのルールは、単一の送信機会内に前記局から送信されるデータのすべてのパケットに適用される、請求項２２に記載の方法。
【請求項２５】
前記通信パラメータは、送信機会であり、
前記１つのルールは、少なくとも２つの局に対して同じ値となるように前記送信機会の値を適応させるためのプロセスを定義する、
請求項２２に記載の方法。
【請求項２６】
前記通信パラメータは、送信機会であり、
前記識別されたチャネルアクセスパラメータは、前記局からのデータの送信のレートであり、
前記１つのルールは、前記局からの前記データの送信のレートに基づいて、前記送信機会の値を適応させるためのプロセスを定義する、
請求項２２に記載の方法。
【請求項２７】
ワイヤレスネットワークを通した通信のための方法であって、
複数のルールのうちの１つのルールを識別するメッセージを電子デバイスから受信すること、ここで、前記複数のルールの各々は、識別されたチャネルアクセスパラメータに基づいて通信パラメータの値を適応させるためのプロセスを定義し、前記複数のルールの各々は、前記電子デバイスとの通信に関する特定の優先度および特定のサービス品質を定める、と、
前記１つのルールにしたがって、識別されたチャネルアクセスパラメータに基づいて通信パラメータの値を適応させることと、
前記適応された前記通信パラメータの値を使用してデータのパケットを前記電子デバイスに送信することと
を備える方法。
【請求項２８】
前記１つのルールは、前記電子デバイスに送信されるデータの各パケットに適用される、請求項２７に記載の方法。
【請求項２９】
前記１つのルールは、単一の送信機会内に前記電子デバイスに送信されるデータのすべてのパケットに適用される、請求項２７に記載の方法。
【請求項３０】
前記通信パラメータは、送信機会であり、
前記識別されたチャネルアクセスパラメータは、データの前記パケットの前記送信のレートである、請求項２７に記載の方法。
【発明の詳細な説明】
【技術分野】
【０００１】
[0001]  本願は一般にワイヤレス通信に関し、より具体的には、識別されたチャネルアクセスパラメータまたは以前使用された送信パラメータに基づいてチャネルアクセスまたは送信パラメータを動的に適応させるためのシステム、方法、およびデバイスに関する。
【背景技術】
【０００２】
[0002]  多くのテレコミュニケーションシステムでは、通信ネットワークが、いくつかのインタラクトする空間的に分離されたデバイスの間でメッセージを交換するために使用される。ネットワークは、地理的範囲にしたがって分類され得、それは、例えば、メトロポリタンエリア、ローカルエリア、またはパーソナルエリアであり得る。このようなネットワークはそれぞれ、広域ネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定されるだろう。ネットワークはまた、様々なネットワークノードおよびデバイスを相互接続するために使用されるスイッチング／ルーティング技法（例えば、回線交換対パケット交換）、送信に用いられる物理媒体のタイプ（例えば、ワイヤード対ワイヤレス）、および使用される通信プロトコルのセット（例えば、インターネットプロトコルスイート、ＳＯＮＥＴ（同期光ネットワーキング）、イーサネット（登録商標）、等）によって異なる。
【０００３】
[0003]  ワイヤレスネットワークは、ネットワーク要素がモバイルであり、それにより動的な接続性のニーズがあるときか、またはネットワークアーキテクチャが、固定というよりはむしろアドホックなトポロジで形成される場合に好まれることが多い。ワイヤレスネットワークは、電波、マイクロ波、赤外線、光、等の周波数帯域において電磁波を使用する無誘導伝搬モード（unguided propagation mode）で無形物理媒体を用いる。ワイヤレスネットワークは、固定のワイヤードネットワークと比べて有利にユーザモビリティおよび高速な現場配置を容易にする。
【０００４】
[0004]  ワイヤレスネットワーク内のデバイスは、互いに情報を送信／受信し得る。情報は、パケットを備え得、これは、いくつかの態様では、データユニットと呼ばれ得る。パケットには、ネットワークを通じてパケットをルーティングすること、パケット内のデータを識別すること、パケットを処理すること等に役立つオーバーヘッド情報（例えば、ヘッダ情報、パケット特性、等）に加え、例えば、パケットのペイロードで搬送されるような、ユーザデータ、マルチメディアコンテンツ、等のデータが含まれ得る。
【発明の概要】
【０００５】
[0005]  添付の特許請求の範囲内でのシステム、方法、およびデバイスの様々な実装は各々がいくつかの態様を有するが、これらのうちのどれ１つとして、本明細書で説明される望ましい属性を単独で担うものではない。添付の特許請求の範囲を制限することなく、いくつかの顕著な特徴が本明細書で説明される。この説明を考慮すれば、そして特に、「発明を実施するための形態」と題するセクションを読めば、当業者は、様々な実装の特徴が、識別されたチャネルアクセスパラメータに基づいたチャネルアクセスまたは送信パラメータの動的な適応をどのようにして可能にするかを理解するだろう。
【０００６】
[0006]  識別されたチャネルアクセスパラメータまたは以前使用された送信パラメータに基づいてチャネルアクセスおよび送信パラメータを動的に適応させるためのシステムおよび方法が開示される。ある態様では、ワイヤレスネットワークを通した通信のための電子デバイスが開示される。電子デバイスは、複数のルールのうちの１つのルールを識別するメッセージを生成するように構成されたプロセッサを備える。複数のルールの各々は、識別されたチャネルアクセスパラメータに基づいて通信パラメータの値を適応させるためのプロセスを定義する。また、複数のルールの各々は、電子デバイスとの通信に関する特定のサービス品質および特定の優先度を定める（provide）。電子デバイスは、メッセージを局に送信するように構成されたトランシーバをさらに備える。
【０００７】
[0007]  別の態様では、ワイヤレスネットワークを通した通信のための局が開示される。局は、複数のルールのうちの１つのルールを識別するメッセージを電子デバイスから受信するように構成されたトランシーバを備える。複数のルールの各々は、識別されたチャネルアクセスパラメータに基づいて通信パラメータの値を適応させるためのプロセスを定義する。また、複数のルールの各々は、電子デバイスとの通信に関する特定のサービス品質および特定の優先度を定める。局は、識別されたチャネルアクセスパラメータに基づいて通信パラメータの値を適応させるように１つのルールによって構成されたプロセッサをさらに備える。トランシーバは、適応された通信パラメータの値を使用して、データのパケットを電子デバイスに送信するようにさらに構成される。
【０００８】
[0008]  別の態様では、ワイヤレスネットワークを通した通信のための方法が開示される。方法は、複数のルールのうちの１つのルールを識別するメッセージを生成することを備える。複数のルールの各々は、識別されたチャネルアクセスパラメータに基づいて通信パラメータの値を適応させるためのプロセスを定義する。また、複数のルールの各々は、局からの通信に関する特定のサービス品質および特定の優先度を定める。方法は、メッセージを局に送信することをさらに備える。
【０００９】
[0009]  別の態様では、ワイヤレスネットワークを通した通信のための方法が開示される。方法は、複数のルールのうちの１つのルールを識別するメッセージを電子デバイスから受信することを備える。複数のルールの各々は、識別されたチャネルアクセスパラメータに基づいて通信パラメータの値を適応させるためのプロセスを定義する。また、複数のルールの各々は、電子デバイスとの通信に関する特定のサービス品質および特定の優先度を定める。方法は、１つのルールにしたがって、識別されたチャネルアクセスパラメータに基づいて通信パラメータの値を適応させることをさらに備える。方法は、適応された通信パラメータの値を使用して、データのパケットを電子デバイスに送信することをさらに備える。
【００１０】
[0010]  別の態様では、ワイヤレスネットワークを通した通信のための電子デバイスが開示される。電子デバイスは、複数のルールのうちの１つのルールを識別するメッセージを生成するための手段を含む。複数のルールの各々は、識別されたチャネルアクセスパラメータに基づいて通信パラメータの値を適応させるためのプロセスを定義する。また、複数のルールの各々は、電子デバイスとの通信に関する特定のサービス品質および特定の優先度を定める。電子デバイスは、メッセージを局に送信するための手段をさらに含む。
【００１１】
[0011]  別の態様では、ワイヤレスネットワークを通した通信のための局が開示される。局は、複数のルールのうちの１つのルールを識別するメッセージを電子デバイスから受信するための手段を含む。複数のルールの各々は、識別されたチャネルアクセスパラメータに基づいて通信パラメータの値を適応させるためのプロセスを定義する。また、複数のルールの各々は、電子デバイスとの通信に関する特定のサービス品質および特定の優先度を定める。局は、１つのルールにしたがって、識別されたチャネルアクセスパラメータに基づいて通信パラメータの値を適応させるための手段をさらに含む。局は、適応された通信パラメータの値を使用して、データのパケットを電子デバイスに送信するための手段をさらに含む。
【００１２】
[0012]  別の態様では、実行されたときに、ワイヤレス通信の方法を行うことを少なくとも１つの物理的なコンピュータプロセッサに行わせる命令を記憶した非一時的コンピュータ可読媒体が提供される。方法は、複数のルールのうちの１つのルールを識別するメッセージを生成することを備える。複数のルールの各々は、識別されたチャネルアクセスパラメータに基づいて通信パラメータの値を適応させるためのプロセスを定義する。また、複数のルールの各々は、局からの通信に関する特定のサービス品質および特定の優先度を定める。方法は、メッセージを局に送信することをさらに備える。
【００１３】
[0013]  別の態様では、実行されたときに、ワイヤレス通信の方法を行うことを少なくとも１つの物理的なコンピュータプロセッサに行わせる命令を記憶した非一時的コンピュータ可読媒体が提供される。方法は、複数のルールのうちの１つのルールを識別するメッセージを電子デバイスから受信することを備える。複数のルールの各々は、識別されたチャネルアクセスパラメータに基づいて通信パラメータの値を適応させるためのプロセスを定義する。また、複数のルールの各々は、電子デバイスとの通信に関する特定のサービス品質および特定の優先度を定める。方法は、１つのルールにしたがって、識別されたチャネルアクセスパラメータに基づいて通信パラメータの値を適応させることをさらに備える。方法は、適応された通信パラメータの値を使用して、データのパケットを電子デバイスに送信することをさらに備える。
【図面の簡単な説明】
【００１４】
【図１Ａ】図１Ａは、本開示の態様が用いられ得るワイヤレス通信システムの例を例示する。
【図１Ｂ】図１Ｂは、ある実施形態に係る、図１Ａの様々な構成要素を例示するブロック図である。
【図２Ａ】図２Ａは、ある実施形態に係る、図１Ｂに例示されたＡＰにおいて利用され得る様々な追加の構成要素を例示する。
【図２Ｂ】図２Ｂは、ある実施形態に係る、図１Ｂに例示されたＳＴＡにおいて利用され得る様々な追加の構成要素を例示する。
【図３】図３は、ある実施形態に係る、１つまたは複数のチャネルアクセスまたは送信パラメータを適応させるためのルールを有するメッセージを送信するためのプロセスを例示するフローチャートである。
【図４】図４は、ある実施形態に係る、１つまたは複数の適応されたチャネルアクセスまたは送信パラメータを使用してデータを送信するためのプロセスを例示するフローチャートである。
【図５Ａ】図５Ａは、ある実施形態に係る、チャネルアクセスパラメータを優先度値に関連付けるために使用されるデータ構造を例示する。
【図５Ｂ】図５Ｂは、ある実施形態に係る、優先度値を適応セッティングに関連付けるために使用されるデータ構造を例示する。
【図６】図６は、ある実施形態に係る、サービス品質ターゲットに基づいて、適応されたチャネルアクセスまたは送信パラメータでデータを送信するためのプロセスを例示するフローチャートである。
【図７】図７は、ある実施形態に係る、図１Ａのワイヤレス通信システム内のアクセスポイントと局との間での通信のプロセスを例示するタイミング図である。
【発明を実施するための形態】
【００１５】
[0024]  新規なシステム、装置、および方法の様々な態様が、添付の図面を参照して以下でより十分に説明される。しかしながら、本開示の教示は、多くの異なる形式で具現化され得、本開示全体にわたって提示される任意の特定の構造または機能に限定されると解釈されるべきではない。むしろ、本開示を十分かつ完全とするために、そして、当業者に本開示の範囲を十分に伝えるために、これら態様が提供される。本明細書の教示に基づき、当業者は、本開示の範囲が、本発明の任意の他の態様と組み合わされて実装されようと、それらとは独立して実装されようと、本明細書で開示される新規なシステム、装置、および方法の任意の態様をカバーするように意図されていることを認識すべきである。例えば、本明細書に示される任意の数の態様を使用して、装置が実装され得るか、または方法が実施され得る。加えて、本発明の範囲は、本明細書に示される本発明の様々な態様に加えて、またはそれ以外の、他の構造、機能、または構造と機能を使用して実施されるこのような装置または方法をカバーするように意図される。本明細書で開示される任意の態様が、請求項の１つまたは複数の要素によって具現化され得ることは理解されるべきである。
【００１６】
[0025]  特定の態様が本明細書で説明されるが、これらの態様の多くの変形および置換は、本開示の範囲内である。好ましい態様のいくつかの利益および利点について述べられるが、本開示の範囲は、特定の利益、用途、または目的に限定されるようには意図されない。むしろ、本開示の態様は、異なるワイヤレス技術、システム構成、ネットワーク、および送信プロトコルに広く適用可能であるように意図されており、それらのうちのいくつかは、図でおよび好ましい態様についての以下の説明で、例として例示される。詳細な説明および図面は、限定というよりもむしろ本開示の単なる例示であり、本開示の範囲は、添付の特許請求の範囲とそれらの同等物とによって定義されている。
【００１７】
[0026]  ワイヤレスネットワーク技術は、様々なタイプのワイヤレスローカルエリアネットワーク（ＷＬＡＮ）を含み得る。ＷＬＡＮは、広く使用されるネットワーキングプロトコルを用いる近くのデバイスを互いに相互接続するために使用され得る。本明細書で説明される様々な態様は、ＷｉＦｉのような任意の通信規格、またはより一般には、ＩＥＥＥ８０２.１１ワイヤレスプロトコルファミリの任意のメンバに適用され得る。例えば、本明細書で説明される様々な態様は、サブ１ＧＨｚ帯域を使用する、ＩＥＥＥ８０２.１１ａｈプロトコルの一部として使用され得る。
【００１８】
[0027]  ワイヤレスネットワークでは、チャネルアクセスパラメータは、ワイヤレスネットワークを介して通信するデバイスによる伝送媒体（例えば、ワイヤレスネットワーク）へのアクセスを制御するように定義され得る。伝送媒体はまた、送信チャネルとも称され得る。チャネルアクセスパラメータの例には、最小コンテンションウィンドウ（ＣＷｍｉｎ）、最大コンテンションウィンドウ（ＣＷｍａｘ）、送信機会（ＴＸＯＰ）、送信機会リミット（ＴＸＯＰ ｌｉｍｉｔ）、およびフレーム間スペース（ＡＩＦＳ）が含まれ得る（がそれらに限定されない）。チャネルアクセスパラメータのさらなる例には、８０２.１１ｅ業界規格において拡張分散チャネルアクセス（ＥＤＣＡ）パラメータの一部として説明されたパラメータが含まれ得る（がそれらに限定されない）。同様に、送信パラメータは、アクセスが許可された時点でどのようにしてデータが伝送媒体または送信チャネル上で送られるかを指示するようにも定義され得る。送信パラメータの例には、クリアチャネルアセスメント（ＣＣＡ：clear channel assessment）閾値レベル、伝送レート（ＰＨＹレートまたはＭＡＣレート（ＰＨＹレートからオーバーヘッドを差し引いたもの）として定義されるような）、バイトの数、パケットの数、各パケットのサイズ、各パケットのタイプ、伝送電力、および再送リミットが含まれ得る（がそれらに限定されない）。ある特定の実施形態では、チャネルアクセスパラメータおよび送信パラメータの両方は、総称して、通信パラメータと呼ばれ得る。特定の実施形態では、チャネルアクセスパラメータおよび／または送信パラメータ（適応されたチャネルアクセスまたは送信パラメータおよび識別されたチャネルアクセスパラメータまたは以前使用された送信パラメータを含む）は、調整可能であり、任意に設定され得る。
【００１９】
[0028]  いくつかの態様では、サブギガヘルツ帯域におけるワイヤレス信号は、直交周波数分割多重化（ＯＦＤＭ）、ダイレクトシーケンススペクトル拡散（ＤＳＳＳ）通信、ＯＦＤＭおよびＤＳＳＳ通信の組み合わせ、または他のスキームを使用して８０２.１１プロトコルにしたがって送信され得る。８０２.１１プロトコルの実装は、センサ、メータリング、およびスマートグリッドネットワークに使用され得る。有利なことに、８０２.１１ａｈプロトコルを実装するある特定のデバイスの態様は、他のワイヤレスプロトコルを実装するデバイスよりも少ない電力を消費し得、および／または、例えば、約１キロメートル以上の比較的長い距離にわたってワイヤレス信号を送信するために使用され得る。
【００２０】
[0029]  いくつかの実装では、ＷＬＡＮは、ワイヤレスネットワークにアクセスする構成要素である様々なデバイスを含む。例えば、アクセスポイント（「ＡＰ」）およびクライアント（局、または「ＳＴＡ」とも称される）という２つのタイプのデバイスが存在し得る。一般に、ＡＰは、ＷＬＡＮのためのハブまたは基地局として機能し、ＳＴＡは、ＷＬＡＮのユーザとして機能する。例えば、ＳＴＡは、ラップトップコンピュータ、携帯情報端末（ＰＤＡ）、モバイル電話、等であり得る。一例では、ＳＴＡは、インターネットへのまたは他の広域ネットワークへの一般の接続性を取得するために、ＷｉＦｉ（例えば、８０２.１１ａｈのようなＩＥＥＥ８０２.１１プロトコル）に準拠したワイヤレスリンクを介してＡＰに接続する。いくつかの実装では、ＳＴＡは、ＡＰとしても使用され得る。
【００２１】
[0030]  アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、または何らかの他の用語を備え得るか、それとして実装され得るか、それらとして知られ得る。
【００２２】
[0031]  局「ＳＴＡ」はまた、アクセス端末（「ＡＴ」）、加入者局、加入者ユニット、モバイル局、リモート局、リモート端末、ユーザ端末、ユーザエージェント、ユーザデバイス、ユーザ機器、または何らかの他の用語を備え得るか、それとして実装され得るか、それらとして知られ得る。いくつかの実装では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適切な処理デバイスを備え得る。したがって、本明細書で教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、ミュージックまたはビデオデバイス、あるいは衛星ラジオ）、ゲームデバイスまたはシステム、全地球測位システムデバイス、またはワイヤレスチャネルを介して通信するように構成された任意の他の適切なデバイスに組み込まれ得る。
【００２３】
[0032]  上述したように、本明細書で説明されるデバイスのうちある特定のものは、例えば、８０２.１１ａｈ規格を実装し得る。このようなデバイスは、ＳＴＡとして使用されようとＡＰとして使用されようと他のデバイスとして使用されようと、スマートメータリングに対してまたはスマートグリッドネットワークにおいて使用され得る。このようなデバイスは、センサアプリケーションを提供し得るか、またはホームオートメーション（home automation）で使用され得る。これらデバイスは、代わりにまたは加えて、例えば、パーソナルヘルスケアのために、ヘルスケアコンテキストにおいて使用され得る。これらはまた、拡張された範囲のインターネット接続性を可能にする（例えば、ホットスポットで使用するために）か、またはマシン・ツー・マシン通信を実装するために、監視（surveillance）に使用され得る。
【００２４】
[0033]  ＳＴＡおよびＡＰのようなワイヤレスノードは、８０２.１１ａｈ規格に従ったネットワークのような、キャリア検知多重アクセス（ＣＳＭＡ）タイプのネットワークにおいてインタラクトし得る。ＣＳＭＡは、確率的な（probabilistic）媒体アクセス制御（ＭＡＣ）プロトコルである。「キャリア検知」は、チャネル上で送信しようと試みるノードが、それ自体の送信を送ろうとする前に、キャリアを検出するためにそれの受信機からのフィードバックを使用し得る、という事実を説明する。「多重アクセス」は、複数のノードが共有チャネル上で送受信し得る、という事実を説明する。したがって、ＣＳＭＡタイプのネットワークでは、送信するノードがチャネルを検知し、そのチャネルがビジー（busy）である（すなわち、別のノードがそのチャネル上で送信している）場合には、送信するノードはそれの送信を後に延期するだろう。しかしながら、チャネルがフリー（free）であることが検知された場合、送信するノードは、そのチャネル上でそれのデータを送信し得る。
【００２５】
[0034]  チャネルの状態を、ノードがその上で送信しようと試みる前に、決定するために、クリアチャネルアセスメント（ＣＣＡ）が使用される。ＣＣＡプロシージャは、ノードの受信機がオンにされ、かつノードがパケットのようなデータユニットを現在送信中でない間に実行される。ノードは、チャネルがクリアであるかどうかを、例えば、パケットのＰＨＹプリアンブルを検出することでパケットの開始を検出することによって検知し得る。この方法は、比較的より弱い信号を検出し得る。したがって、この方法では、検出閾値は低い。代替の方法は、無線経由で（on the air）何らかのエネルギを検出することであり、これは、エネルギ検出（ＥＤ）と呼ばれ得る。この方法は、パケットの開始を検出することよりも比較的より困難であり、比較的より強い信号のみを検出し得る。したがって、この方法では、検出閾値はより高い。一般に、チャネル上での別の送信の検出は、送信の受信電力の関数（function）であり、ここでは、受信電力は、伝送電力から経路損失を差し引いたものである。
【００２６】
[0035]  特定の実施形態では、ＡＰは、識別されたチャネルアクセスパラメータまたは以前使用された送信パラメータに基づいて１つまたは複数のチャネルアクセスまたは送信パラメータを、ワイヤレスに接続されたＳＴＡに適応させるためのルールを通信し得る。その後、ＳＴＡは、識別されたチャネルアクセスパラメータまたは以前使用された送信パラメータに対するＳＴＡの値に基づいて適応された１つまたは複数の適応されたチャネルアクセスまたは送信パラメータでデータを送信することができる。重要な実施形態では、識別されたチャネルアクセスパラメータは、現在の、将来の、または過去のチャネルアクセスに使用されるチャネルアクセスパラメータであり得るが、識別された以前使用された送信パラメータは、以前の送信に使用された送信パラメータであり得る。
【００２７】
[0036]  選択実施形態では、識別された以前使用された送信パラメータは、単一のパケットにおいて使用される送信パラメータか、あるいは、以前送信された多数のパケットにわたる平均最大値または最小値を含み得る。例示的な実施形態では、識別された以前使用された送信パラメータは、ＰＨＹまたはＭＡＣレートを含み得、それの変形は、１つまたは複数のチャネルアクセスまたは送信パラメータを適応させるための対応する変形に関し得、それは、単一の以前送信されたパケットまたは多数の以前送信されたパケット（多数の以前送信されたパケットにわたる平均値、最大値または最小値等であるがそれらに限定されない）に基づいた、より低いまたはより高いＰＨＹまたはＭＡＣレートに対する異なる適応、等であるがそれらに限定されない。さらなる例示的な実施形態では、識別された以前使用された送信パラメータは、単一の以前送信されたパケットまたは多数の以前送信されたパケット（多数の以前送信されたパケットにわたる平均値、最大値または最小値、等であるがそれらに限定されない）に基づいてＴＸＯＰを含み得る。さらに例示的な実施形態では、識別された以前使用された送信パラメータは、単一の以前送信されたパケットまたは多数の以前送信されたパケット（多数の以前送信されたパケットにわたる平均値、最大値または最小値等であるがそれらに限定されない）に基づいて、送信されたパケット（物理層サービスデータユニット（ＰＳＤＵ）、ＭＡＣプロトコルデータユニット（ＭＰＤＵ）、またはＭＡＣサービスデータユニット（ＭＳＤＵ）、等であるがそれらに限定されない）のサイズを含み得る。
【００２８】
[0037]  ある特定の実施形態では、チャネルアクセスまたは送信パラメータが、識別されたチャネルアクセスパラメータまたは以前使用された送信パラメータに基づいてどのようにして適応されるかを説明するために、プロキシとして優先度が使用され得る。異なる優先度（異なる優先度値または異なる優先度レベルによって表されるような）は、識別されたチャネルアクセスパラメータまたは以前使用された送信パラメータに基づいて、チャネルアクセスまたは送信パラメータのための異なる適応に関連付けられ得る。それによって、識別されたチャネルアクセスパラメータまたは以前使用された送信パラメータにおける変化は、優先度値における対応する変化をケースし得、これは、適応されたチャネルアクセスまたは送信パラメータにおける対応する変化をルールにしたがって引き起こし得る。それによって、識別されたチャネルアクセスパラメータまたは以前使用された送信パラメータと、適応されたチャネルアクセスまたは送信パラメータとの関係（relationship）が、優先度値を使用することによって、間接的に（直接的とは対照的に）マッピングされ得る。ある特定の実施形態では、優先度値における増加（識別されたチャネルアクセスパラメータまたは以前使用された送信パラメータにおける変化（増加、等であるがそれに限定されない）によって引き起こされる）は、チャネルにより高い確率でアクセスすることに帰着する適応されたチャネルアクセスまたは送信パラメータ（より低いＣＷｍｉｎまたはＣＷｍａｘ、より高いＣＣＡ閾値レベル、より高い再送リミット、より短いＡＩＦＳ等であるがそれらに限定されない）の適応にマッピングすることができる。特定の実施形態では、優先度値における減少（識別されたチャネルアクセスパラメータまたは以前使用された送信パラメータにおける変化（減少、等であるがそれに限定されない）によって引き起こされる）は、チャネルにより低い確率でアクセスすることに帰着する適応したチャネルアクセスまたは送信パラメータ（より高いＣＷｍｉｎまたはＣＷｍａｘ、より低いＣＣＡ閾値レベル、より低い再送リミット、より長いＡＩＦＳ等であるがそれらに限定されない）の適応にマッピングすることができる。優先度値は、データを送信する際に使用されるチャネルアクセスまたは送信パラメータの特定の適応に関し得る。さらなる実施形態では、チャネルアクセスまたは送信パラメータは、優先度値の決定なしに、識別されたチャネルアクセスパラメータまたは以前使用された送信パラメータに基づいて直接的に適応され得る。
【００２９】
[0038]  ある特定の実施形態では、チャネルアクセスまたは送信パラメータは、特定のサービス品質（ＱｏＳ）ターゲットを達成するために、識別されたチャネルアクセスパラメータまたは以前使用された送信パラメータに基づいて動的に適応され得る。これらＱｏＳターゲットの例は、（これらに限定されるものではないが）、(これに限定されないが、例えば、各ＳＴＡに同じ優先度値で、またはアクセス当たり同じ時間で各ＳＴＡに送信させることにより)すべてのＳＴＡからのデータの送信に対して同じ時間を設定することと、すべてのＳＴＡに対して同じサービス程度を設定することと、基本サービスセット（ＢＳＳ）を介してスループットの合計を最大化することによって総スループットを最大化することと、（これに限定されないが、例えば、公平なスループットを達成すること（ＴＸＯＰを延長し、ＣＷを短縮し、ＡＩＦＳＮを短縮し、あるいは、より長い現在のキュー長またはある時間期間にわたって従前に使用されたキュー長の平均により測定されたより長い過去のキュー長に基づいてより高い優先度値を割り当てることによって、公平なスループットを達成すること、、あるいは、（これに限定されないが例えば、パケットのレイテンシを最小化すること（「有効時間」／満了ウィンドウより古い／近い、現在、将来、または従前に使用されたパケットに関して、より高い優先度値を割り当てることにより））パケットのレイテンシを最小化することとを含むことができる。
【００３０】
[0039]  ある特定の実施形態では、チャネルアクセスに関するコンテンションおよびオーバーヘッドを最小化することにより効率を最大化するためのＱｏＳターゲットの例は、（これらに限定されないが、より短いＴＸＯＰ期間／制限に関するより短いＣＷminを式（１）−（４）に与える労力のように）送信されるパケットに関するＴＸＯＰ制限または計画された実際のＴＸＯＰ持続時間の凸関数として優先度値を計算することと、：
優先度値＝Ｃ１＊ｌｏｇ２（ＴＸＯＰリミット）＋Ｃ２            式（１）
優先度値＝Ｃ１＊ｓｑｒｔ（ＴＸＯＰリミット）＋Ｃ２            式（２）
優先度値＝Ｃ１＊ｌｏｇ２（計画されたＴＸＯＰ持続時間）＋Ｃ２            式（３）
優先度値＝Ｃ１＊ｓｑｒｔ（計画されたＴＸＯＰ持続時間）＋Ｃ２            式（４）
ここで、Ｃ１およびＣ２は、定数である）、（これに限定されないが、例えば、現在、将来または過去の使用に関して長時間のＴＸＯＰｓに関するより長い優先度値を割り当てることにより）長時間のＴＸＯＰｓに対してより高い優先度値を割り当てることにより、長時間のＴＸＯＰｓを支持すること、（たとえば、これに限定されないが、キューパケット(複数の場合もある)の従前のヘッド(head)により経験される減少した再送信数の関数として優先度値を設定することにより）再送信されるパケットまたは過去の平均再送信数に関してより低い優先度値を設定することと、バイト数がより大きなサイズであるパケットに対してより高い優先度値を設定することと（これに限定されるものではないが、この場合、たとえば、パケットサイズはキューパケットのヘッド、最後に送信されたパケットまたは従前に送信されたパケットのうちのあるセットに言及することができる）、（これに限定されないが、例えば、パケットのサイズがより小さい場合に）より大きい数のパケットをアグリゲートするＡ−ＭＰＤＵまたはＡ−ＭＳＤＵに対してより高い優先度値を設定することと、または、現在、将来、または過去の使用におけるパケットに対して低い送信レート（ＰＨＹ／ＭＡＣレート）を有するパケットに対してより低い最大リトライ制限を設定することと、を含むことができる。。各ＱｏＳターゲットは、識別されたチャネルアクセスパラメータまたは以前使用された送信パラメータに基づいた１つまたは複数のチャネルアクセスまたは送信パラメータの適応に対応し得る。これら識別されたチャネルアクセスパラメータまたは以前使用された送信パラメータは、ＳＴＡ、業界規格、あるいは識別された（以前に適応されているものも含む）チャネルアクセスパラメータまたは送信パラメータとして使用された履歴または過去の値によって設定されたチャネルアクセスパラメータを含み得る。
【００３１】
[0040]  特定の実施形態では、チャネルアクセスまたは送信パラメータは、ある特定の好ましいトラフィック（この好ましいトラフィックに関連付けられた識別されたチャネルアクセスパラメータまたは以前使用された送信パラメータに基づく）に、他の好ましくないトラフィックよりも送られるより大きなチャンスを許可することによって、特定のサービス品質（ＱｏＳ）ターゲットを達成するために、識別されたチャネルアクセスパラメータまたは以前使用された送信パラメータに基づいて動的に適応され得る。例えば、好ましいトラフィックを送信する局は、パケットを送る前に、平均で、好ましくないトラフィックを送信する別の局よりも短い時間待ち得る。動的に適応されたチャネルアクセスまたは送信パラメータは、異なるコンテンションウィンドウ（ＣＷ）、異なる仲裁フレーム間スペース（ＡＩＦＳ）値、ＣＣＡ閾値レベル、伝送電力または再送リミットを、好ましいトラフィックのための適応されたチャネルアクセスまたは送信パラメータとして定義することによって、好ましくないトラフィックに対する好ましいトラフィックのための異なるトリートメントを可能し得、ここでは、好ましいトラフィックは、関連付けられた識別されたチャネルアクセスパラメータまたは以前使用された送信パラメータによって識別され得る。
【００３２】
[0041]  ある特定の実施形態では、特定の優先度値によって設定されたチャネルアクセスパラメータで送信されるようにデータが割り当てられる順序は待ち行列によって表され得る。待ち行列では、より早くに送信されるように割り当てられるデータは、後の時間に送信されるように割り当てられるデータに対して、待ち行列で前方にある。特定の実施形態では、待ち行列内の異なるパケットは、その待ち行列内の他のパケットに対して、異なる優先度値に関連付けられ得、および／または、送信のための異なるチャネルアクセスまたは送信パラメータが適応され得る。データがまさに送られようとしているとき、それは、待ち行列のヘッドにあると称され得る。ある特定の実施形態では、ルールは、待ち行列のヘッドにあるパケットあたりに、時間のインターバルあたりに、または、ＳＴＡに適用されるルールがＡＰによって更新されるまで、を含む（がそれに限定されない）、データ送信の任意のインターバル中に特定のサービス品質（ＱｏＳ）ターゲットを達成するために、識別されたチャネルアクセスパラメータまたは以前使用された送信パラメータに基づいてチャネルアクセスまたは送信パラメータがどのようにして動的に適応され得るのかを指示し得る。
【００３３】
[0042]  ある特定の実施形態では、仲裁フレーム間スペースナンバ（ＡＩＦＳＮ）値は、関連付けられた優先度値にしたがって調整され得る。ＡＩＦＳＮ値は、パケットを送信してから次を送信するまでの間局が待つこととなる時間期間の短縮または拡張を定義する。より短い待ち期間期間は、メッセージが、より高い確率で低いレイテンシで送信されることを可能にし、これは、メディアデータ（例えば、音声データ、ビデオデータ、またはストリーミングデータ）のような、遅延クリティカルデータにとっての懸念事項である。
【００３４】
[0043]  チャネルへのコンテンションのないアクセスの期間は、送信機会（ＴＸＯＰ）（例えば、送信機会）である。ＴＸＯＰは、特定の送信の持続時間がＴＸＯＰの最大持続時間、ＴＸＯＰリミットとも呼ばれる、を超えない限り、局ができる限り多くのパケットを送り得る境界のある時間インターバルである。それによって、ＴＸＯＰは、関連付けられたＴＸＯＰリミット未満である。特定の送信がＴＸＯＰリミットを超えると、送信は、ＴＸＯＰの最大持続時間を超えない複数の送信へと分割され得る。ＴＸＯＰの使用により、レガシＩＥＥＥ８０２.１１分散協調関数（ＤＣＦ）媒体アクセス制御（ＭＡＣ）ネットワークにおいて発生し得る、低いレートの局が過度のチャネル時間量を要求するという問題が軽減される。ゼロ（０）というＴＸＯＰリミットの時間インターバルは、局が、単一のＭＡＣサービスデータユニット（ＭＳＤＵ）またはＭＡＣ管理プロトコルデータユニット（ＭＭＰＤＵ）に限定されることを示す。
【００３５】
[0044]  特定の実施形態では、ＴＸＯＰリミット（例えば、送信機会）は、ＩＥＥＥ８０２.１１ａｈに準拠したネットワークにおいて使用される複数の優先度値について定義され得る。例えば、特定の優先度値のためのＴＸＯＰリミット値は、略（例えば、±２０％）十五．六（１５．６）ミリ秒として定義され得、これは、局が１つのパケットを送ることを可能にするだろう（例えば、毎秒百五十（１５０）キロバイト（ｋｂｐｓ）で二百五十六（２５６）バイト）。別の優先度値についてのＴＸＯＰリミット値は、優先度を定義するためにルールにおいて使用されるＴＸＯＰリミット値に適応される十（１０）というスケーリング係数に基づいて定義され得る。さらなる例として、最低優先度値についてのＴＸＯＰリミット値は、ゼロ（０）と定義され得る。
【００３６】
[0045]  それによって、動的に適応されたチャネルアクセスまたは送信パラメータは、チャネルアクセスパラメータに基づいて異なる優先度値を割り当てる異なるＱｏＳターゲットにしたがって特定され得る。特定の実施形態では、優先度値は、異なる優先度値に対する対応するコンテンションウィンドウ最小（ＣＷｍｉｎ）値、対応するコンテンションウィンドウ最大（ＣＷｍａｘ）値、および、仲裁フレーム間スペースナンバ（ＡＩＦＳＮ）値のようなチャネルアクセスまたは送信パラメータを定義し得る。特定の実施形態では、ＣＷｍｉｎ値、ＣＷｍａｘ値、およびＡＩＦＳＮ値は、静的な値であり得るが、他の実施形態では、ＣＷｍｉｎ値、ＣＷｍａｘ値、およびＡＩＦＳＮ値は、ルールにしたがって局によって決定された識別されたチャネルアクセスパラメータまたは以前使用された送信パラメータに依存して動的な値であり得る。
【００３７】
[0046]  図１Ａは、本開示の態様が用いられ得るワイヤレス通信システム１００の例を例示する。ワイヤレス通信システム１００は、例えば、８０２.１１ａｈ規格のような、ワイヤレス規格に準じて動作し得る。ワイヤレス通信システム１００は、ＡＰ１０４を含み得、それはＳＴＡ１０６と通信する。
【００３８】
[0047]  動作中、ＡＰ１０４は、接続ルーチン（例えば、ＩＥＥＥ８０２.１１ａｈに準拠した接続ルーチン）を使用する１つまたは複数のＳＴＡ１０６と通信を確立することができる。ＡＰ１０４に接続された時点で、ＳＴＡ１０６は、各々、各ＳＴＡ１０６に記憶されたアクセス制御データに少なくとも部分的に基づいてＡＰ１０４にデータを送信し得る。データは、識別されたチャネルアクセスパラメータまたは以前使用された送信パラメータに基づいて１つまたは複数のチャネルアクセスまたは送信パラメータをどのようにして適応させるかを特定することができる。
【００３９】
[0048]  様々なプロセスおよび方法が、ＡＰ１０４とＳＴＡ１０６と間のワイヤレス通信システム１００において送信のために使用され得る。例えば、信号は、ＯＦＤＭ／ＯＦＤＭＡ技法にしたがって、ＡＰ１０４とＳＴＡ１０６の間で送受信され得る。この場合には、ワイヤレス通信システム１００は、ＯＦＤＭ／ＯＦＤＭＡシステムと呼ばれ得る。代替的に、信号は、ＣＤＭＡ技法にしたがって、ＡＰ１０４とＳＴＡ１０６の間で送受信され得る。この場合には、ワイヤレス通信システム１００は、ＣＤＭＡシステムと呼ばれ得る。
【００４０】
[0049]  ＡＰ１０４からＳＴＡ１０６のうちの１つまたは複数ヘの送信を容易にする通信リンクは、ダウンリンク（ＤＬ）１０８と呼ばれ得、ＳＴＡ１０６のうちの１つまたは複数からＡＰ１０４への送信を容易にする通信リンクは、アップリンク（ＵＬ）１１０と呼ばれ得る。代替的に、ダウンリンク１０８は、順方向リンクまたは順方向チャネルと呼ばれ得、アップリンク１１０は、逆方向リンクまたは逆方向チャネルと呼ばれ得る。
【００４１】
[0050]  ＡＰ１０４は、基地局として機能し、基本サービスエリア（ＢＳＡ）１０２においてワイヤレス通信カバレッジを提供し得る。ＡＰ１０４は、通信のためにＡＰ１０４を使用するＡＰ１０４に関連付けられたＳＴＡ１０６とともに、基本サービスセット（ＢＳＳ）と呼ばれ得る。ワイヤレス通信システム１００は、中央ＡＰ１０４を有さない可能性があるが、むしろＳＴＡ１０６間のピア・ツー・ピアネットワークとして機能し得ることに留意されたい。したがって、本明細書で説明されるＡＰ１０４の機能は、代替的に、ＳＴＡ１０６のうちの１つまたは複数によって行われ得る。
【００４２】
[0051]  ＳＴＡ１０６は、タイプが限定されておらず、多種多様なＳＴＡを含み得る。例えば、図１Ａに例示されるように、ＳＴＡ１０６は、ほんの数例を挙げると、セルラ電話１０６ａ、テレビ１０６ｂ、ラップトップ１０６ｃ、および多数のセンサ１０６ｄ−ｆ（例えば、気象センサまたはワイヤレスプロトコルを使用して通信することが可能な他のセンサ）を含み得る。
【００４３】
[0052]  図１Ｂは、ある実施形態に係る、図１Ａの様々な構成要素を例示するブロック図である。ブロック図はまた、ネットワークを通して通信状態にあるＡＰ１０４およびＳＴＡ１０６を含む。ＡＰ１０４は、プロセッサ１５０およびメモリ１５６を含む。プロセッサ１５０は、メッセージ生成プロセッサ１５２およびルール情報生成プロセッサ１５４として構成された構成要素を有する汎用プロセッサであり得る。メッセージ生成プロセッサ１５２は、識別されたチャネルアクセスパラメータまたは以前使用された送信パラメータに基づいてチャネルアクセスまたは送信パラメータを適応させるためのルールを識別する情報を含むメッセージを生成するように構成され得る。このルールは、複数のルールのうちの１つであり得、これらルールの各々は、識別されたチャネルアクセスパラメータに基づいて通信パラメータ（例えば、チャネルアクセスパラメータまたは送信パラメータ）の値を適応させるためのプロセスを定義する。また、複数のルールの各々は、ＳＴＡ１０６とＡＰ１０４との間での通信に関する特定のサービス品質および特定の優先度を定め得る。ルール情報生成プロセッサ１５４は、メッセージに含まれるルールを識別する情報を生成するように構成され得る。メッセージ生成プロセッサ１５２およびルール情報生成プロセッサ１５４の各々は、アクセスポイント１０４のメモリ１５６に記憶されているルール情報生成データ１５８にアクセスすることができる。ルール情報生成データ１５８は、ルールを識別する情報の生成を支援するために、ルール情報生成プロセッサ１５４によって使用され得る。例えば、ルール情報生成データ１５８は、ルール情報生成プロセッサ１５４を使用してサービス品質ターゲットに対応するルールが識別され得るルックアップテーブルの形式であり得る。次いで、ルールを識別する情報は、メッセージ生成プロセッサ１５２によって生成されたメッセージに含まれ得る。ルールを識別する情報１６４を有する、生成されたメッセージ１６０は、ＡＰ１０４からＳＴＡ１０６に送られ得る。
【００４４】
[0053]  ある特定の実施形態では、ＳＴＡ１０６はまた、プロセッサ１６８およびメモリ１７４を含み得る。プロセッサ１６８は、ルール識別プロセッサ１７０およびルール適用プロセッサ１７２として構成された構成要素を有する汎用プロセッサであり得る。ルール識別プロセッサ１７０は、識別されたチャネルアクセスパラメータまたは以前使用された送信パラメータに基づいてチャネルアクセスまたは送信パラメータを適応させるためのルールを識別するためにＡＰ１０４からのメッセージを使用するように構成され得る。ルール適用プロセッサ１７２は、識別されたチャネルアクセスパラメータまたは以前使用された送信パラメータに基づいてチャネルアクセスまたは送信パラメータを適応させることによってルールを適用するように構成され得る。ＳＴＡ１０６のメモリ１７４は、ＡＰ１０４への送信用のデータおよびルールのセットを含み得る。ルール識別プロセッサ１７０は、メモリ１７４に記憶されているルールから、メッセージにおいて識別されたチャネルアクセスまたは送信パラメータを適応させるためのルールを識別することができる。ルール適用プロセッサ１７２は、識別されたルールにしたがって、識別されたチャネルアクセスパラメータまたは以前使用された送信パラメータに基づいてチャネルアクセスまたは送信パラメータを適応させることによって識別されたルールを適用する。次いで、メモリに記憶されているデータ１７８が、適応されたチャネルアクセスまたは送信パラメータでデータ１６２として送られ得る。
【００４５】
[0054]  図２Ａは、ある実施形態に係る、図１Ｂに例示されたＡＰにおいて利用され得る様々な追加の構成要素を例示する。同様に、図２Ｂは、ある実施形態に係る、図１Ｂに例示されたＳＴＡにおいて利用され得る様々な追加の構成要素を例示する。ＡＰ２５０またはＳＴＡ２６０は、それぞれのＡＰ２５０またはＳＴＡ２６０の動作を制御するプロセッサ２０４Ａ、２０４Ｂを含み得る。プロセッサ２０４Ａ、２０４Ｂは、中央処理ユニット（ＣＰＵ）とも呼ばれ得る。図１Ｂで上述したように、アクセスポイント２５０内のプロセッサ２０４Ａは、メッセージ生成プロセッサ２５２およびルール情報生成プロセッサ２５４として構成された構成要素を有する汎用プロセッサであり得る。同様に、図１Ｂに上述したように、ＳＴＡ２６０内のプロセッサ２０４Ｂは、ルール識別プロセッサ２６２およびルール適用プロセッサ２６４として構成された構成要素を有する汎用プロセッサであり得る。プロセッサ２０４Ａ、２０４Ｂは、１つまたは複数のプロセッサで実装される処理システムの構成要素であり得るか、またはそれを備え得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリート（discrete）ハードウェア構成要素、専用ハードウェア有限ステートマシン、あるいは情報の算出または他の操作を行い得る任意の他の適切なエンティティの任意の組み合わせで実装され得る。
【００４６】
[0055]  読取専用メモリ（ＲＯＭ）およびランダムアクセスメモリ（ＲＡＭ）の両方を含み得るメモリ２０６Ａ、２０６Ｂは、プロセッサ２０４Ａ、２０４Ｂに命令およびデータを提供する。メモリ２０６Ａ、２０６Ｂの一部はまた、不揮発性ランダムアクセスメモリ（ＮＶＲＡＭ）を含み得る。プロセッサ２０４Ａ、２０４Ｂは、メモリ２０６Ａ、２０６Ｂ内に記憶されたプログラム命令に基づいて、論理演算および算術演算を典型的に行う。メモリ２０６Ａ、２０６Ｂ内の命令は、本明細書で説明される方法を実装するために実行可能であり得る。図１Ｂにおいて上述したように、メモリ２０６Ａ、２０６Ｂは、ＡＰ２５０に実装されるときにはルール情報生成データ２５６を、ＳＴＡ２６０に実装されるときにはルール２６６およびデータ２６８を含み得る。
【００４７】
[0056]  処理システムはまた、ソフトウェアを記憶するための機械可読媒体を含み得る。ソフトウェアは、ソフトウェア、ファームウェア、ミドルウェア、マイクロコード、ハードウェア記述言語と呼ばれようと、または任意の他の言語で呼ばれようと、任意のタイプの命令を意味するように広く解釈されるものとする。命令は、コード（例えば、ソースコードフォーマット、バイナリコードフォーマット、実行可能コードフォーマット、または任コードの意の他の適切なフォーマットにおいて）を含み得る。これら命令は、１つまたは複数のプロセッサによって実行されると、本明細書で説明される様々な機能を行うことを処理システムに行わせる。
【００４８】
[0057]  ＡＰ２５０またはＳＴＡ２６０はまた、ＡＰ２５０またはＳＴＡ２６０とリモートロケーションとの間でのデータの送信および受信を可能にするために、送信機２１０Ａ、２１０Ｂおよび受信機２１２Ａ、２１２Ｂを含み得る。さらに、送信機２１０Ａ、２１０Ｂおよび受信機２１２Ａ、２１２Ｂは、ＡＰ２５０またはＳＴＡ２６０とリモートロケーションとの間での、セットアップおよび／または構成パケットまたはフレームの送信および受信を可能にするように構成され得る。送信機２１０Ａ、２１０Ｂおよび受信機２１２Ａ、２１２Ｂは、トランシーバ２１４Ａ、２１４Ｂへと組み合わせられ得る。アンテナ２１６Ａ、２１６Ｂは、ハウジング２０８Ａ，２０８Ｂに取り付けられ得、トランシーバ２１４Ａ、２１４Ｂに電気的に結合される。代替的または追加的に、ＡＰ２５０またはＳＴＡ２６０は、ハウジング２０８Ａ、２０８Ｂの一部として形成されたアンテナ２１６Ａ、２１６Ｂを含み得るか、または内部アンテナであり得る。ＡＰ２５０またはＳＴＡ２６０はまた、複数の送信機、複数の受信機、複数のトランシーバ、および／または複数のアンテナ（示されない）を含み得る。
【００４９】
[0058]  ＡＰ２５０またはＳＴＡ２６０はまた、トランシーバ２１４Ａ、２１４Ｂによって受信される信号のレベルを検出および定量化しようと努力する過程で使用され得る信号検出器２１８Ａ、２１８Ｂを含み得る。信号検出器２１８Ａ、２１８Ｂは、このような信号を、総エネルギ、シンボルに対するサブキャリアあたりのエネルギ、電力スペクトル密度、および他の信号として検出し得る。ＡＰ２５０またはＳＴＡ２６０はまた、信号を処理する際に使用されるデジタルシグナルプロセッサ（ＤＳＰ）２２０Ａ、２２０Ｂを含み得得る。ＤＳＰ２２０Ａ、２２０Ｂは、送信用のデータユニットを生成するように構成され得る。いくつかの態様では、データユニットは、物理レイヤデータユニット（ＰＰＤＵ）を備え得る。いくつかの態様では、ＰＰＤＵは、パケットまたはフレームと呼ばれる。
【００５０】
[0059]  ＡＰ２５０またはＳＴＡ２６０は、いくつかの態様では、ユーザインターフェース２２２Ａ、２２２Ｂをさらに備え得る。ユーザインターフェース２２２Ａ、２２２Ｂは、キーパッド、マイクロフォン、スピーカ、および／またはディスプレイを備え得る。ユーザインターフェース２２２Ａ、２２２Ｂは、ＡＰ２５０またはＳＴＡ２６０のユーザに情報を伝えるおよび／またはユーザからの入力を受信する任意の要素または構成要素を含み得る。
【００５１】
[0060]  ＡＰ２５０またはＳＴＡ２６０は、選択的なクリアチャネルアセスメント（ＣＣＡ）モジュール２２８Ａ、２２８Ｂをさらに備え得る。選択的なＣＣＡモジュール２２８Ａ、２２８Ｂは、１つまたは複数のパラメータに基づいてＡＰ２５０またはＳＴＡ２６０のためにクリアチャネルアセスメントを行う任意の要素または構成要素を含み得る。パラメータは、伝送電力、伝送帯域幅、および／またはエネルギ検出閾値を含み得る。
【００５２】
[0061]  ＡＰ２５０またはＳＴＡ２６０の様々な構成要素は、ハウジング２０８Ａ、２０８Ｂ内にハウジングされ得る。さらに、ＡＰ２５０またはＳＴＡ２６０の様々な構成要素は、バスシステム２２６Ａ、２２６Ｂによって互いに結合され得る。バスシステム２２６Ａ、２２６Ｂは、データバスを含むだけでなく、そのデータバスに加え、例えば、電力バス、制御信号バス、および状態信号バスを含み得る。当業者は、ＡＰ２５０またはＳＴＡ２６０の構成要素が互いに結合され得ること、あるいは、何らかの他のメカニズムを使用して互いに入力を受諾または提供し得ること、を認識するだろう。
【００５３】
[0062]  多数の別個の構成要素が図２Ａおよび２Ｂには例示されているが、当業者は、これら構成要素のうちの１つまたは複数が組み合わせられるかまたは概して実装され得ることを認識するだろう。例えば、プロセッサ２０４Ａ、２０４Ｂは、プロセッサ２０４Ａ、２０４Ｂに関して上述された機能を実装するのみならず、信号検出器２１８Ａ、２１８Ｂおよび／またはＤＳＰ２２０Ａ、２２０Ｂに関して上述された機能を実装するためにも使用され得る。さらに、図２Ａおよび２Ｂに例示される構成要素の各々は、複数の別個の要素を使用して実装され得る。
【００５４】
[0063]  ある特定の実施形態では、ＡＰ１０４は、識別されたチャネルアクセスパラメータまたは以前使用された送信パラメータに基づいて１つまたは複数のチャネルアクセスまたは送信パラメータを適応させるためのルールを識別することができる。ルールは、識別されたチャネルアクセスパラメータまたは以前使用された送信パラメータに基づいて１つまたは複数のチャネルアクセスまたは送信パラメータをどのようにして適応させるかを詳述する式、表関係、または式の表関係の形式であり得る。ルールは、ＡＰ１０４からＳＴＡ１０６に送られ得る。ルールは、ＱｏＳターゲットを反映し得る。
【００５５】
[0064]  図２Ａおよび２Ｂに関して上述したように、ＡＰ２５０は、１つまたは複数のプロセッサおよび１つまたは複数のメモリを含み得る。例えば、ＡＰ２５０は、識別されたチャネルアクセスパラメータまたは以前使用された送信パラメータに基づいて１つまたは複数のチャネルアクセスまたは送信パラメータを適応させるためのルールの識別子を記憶するメモリを含み得る。メモリはまた、識別されたチャネルアクセスパラメータまたは以前使用された送信パラメータに基づいて１つまたは複数のチャネルアクセスまたは送信パラメータを適応させるためのルールを識別するメッセージをＳＴＡ２６０に送信するための様々な機能を行うためにプロセッサ（１つまたは複数）によって実行可能な命令を記憶し得る。
【００５６】
[0065]  ある実施形態に係る、ルールを有するメッセージを送信するためのプロセスを例示するフローチャートが図３に例示される。プロセス３００は、図１Ａに例示されたＡＰ１０４によって行われ得る。状態３０２において、複数のルールのうちの１つのルールを識別するメッセージがＡＰ１０４によって生成され、複数のルールの各々は、識別されたチャネルアクセスパラメータに基づいて通信パラメータ（すなわち、チャネルアクセスまたは送信パラメータ）の値を適応させるためのプロセスを定義する。また、複数のルールの各々は、ＡＰ１０４との通信に関する特定のサービス品質および特定の優先度を定め得る。ある特定の実施形態では、ＡＰ１０４によって生成されたメッセージは、識別されたチャネルアクセスパラメータまたは以前使用された送信パラメータに基づいて１つまたは複数のチャネルアクセスまたは送信パラメータを適応させるためのルールを識別する情報を含み得る。次に、状態３０４において、生成されたメッセージが、ＡＰ１０４からＳＴＡ１０６に送信される３０４。
【００５７】
[0066]  ある特定の実施形態では、ＡＰ１０４は、識別されたチャネルアクセスパラメータまたは以前使用された送信パラメータに基づいて１つまたは複数のチャネルアクセスまたは送信パラメータを適応させるためのルールを識別する情報を含むメッセージを生成するための手段を含む。ある特定の実施形態では、ルールを識別する情報を含むメッセージを生成するための手段は、図１Ｂのプロセッサ１５０のようなプロセッサを備え得る。ＡＰ１０４は、生成されたメッセージを局に送信するための手段をさらに含む。ある特定の実施形態では、生成されたメッセージを局に送信するための手段は、図２Ａの送信機２１０Ａのような送信機を備え得る。
【００５８】
[0067]  ＳＴＡ１０６は、識別されたチャネルアクセスパラメータまたは以前使用された送信パラメータに基づいて１つまたは複数のチャネルアクセスまたは送信パラメータを適応させるために、ＳＴＡ１０６が、ＡＰ１０４によって識別されたルールを使用することを可能にするデータ構造にアクセスすることができる。識別されたチャネルアクセスパラメータまたは以前使用された送信パラメータは、１つまたは複数のチャネルアクセスまたは送信パラメータを適応させるための、ＳＴＡの識別されたチャネルアクセスパラメータまたは以前使用された送信パラメータに関連付けられた値をとること、等であるがそれらに限定されない、によって、ＳＴＡにおいて適応される。ＳＴＡ１０６にとってアクセス可能なデータ構造は、識別されたチャネルアクセスパラメータまたは以前使用された送信パラメータに基づいて１つまたは複数のチャネルアクセスまたは送信パラメータをどのようにして適応させるかを詳述する式、表関係、または式の表関係の形式である、識別されたルールを含み得る。データ構造は、ＳＴＡ１０６に関連付けられたメモリにおいて、または、ネットワークを通して別のデバイス（別のＳＴＡ１０６またはＡＰ１０４であるがそれらに限定されない）からＳＴＡ１０６が取り出すことによって、ＳＴＡ１０６にとってアクセス可能である。
【００５９】
[0068]  ある実施形態に係る、１つまたは複数の適応されたチャネルアクセスまたは送信パラメータを使用してデータを送信するためのプロセスを例示するフローチャートが図４に例示される。プロセス４００は、図１ＡのＳＴＡ１０６によって行われ得る。状態４０２において、識別されたチャネルアクセスパラメータに基づいて通信パラメータ（すなわち、チャネルアクセスパラメータまたは送信パラメータ）の値を適応させるためのプロセスを各々定義する複数のルールのうちの１つのルールを識別するメッセージが受信される。また、複数のルールの各々は、ＳＴＡ１０６からＡＰ１０４への通信に関する特定のサービス品質および特定の優先度を定め得る。ある特定の実施形態では、メッセージは、識別されたチャネルアクセスパラメータまたは以前使用された送信パラメータに基づいて１つまたは複数のチャネルアクセスまたは送信パラメータを適応させるためのルールを識別する情報を含み得る。次いで、状態４０４において、ＳＴＡ１０６は、複数のルールのうち識別された１つにしたがって、識別されたチャネルアクセスパラメータに基づいて通信パラメータの値を適応させ得る。ある特定の実施形態では、ＳＴＡ１０６は、識別されたチャネルアクセスパラメータまたは以前使用された送信パラメータに基づいて１つまたは複数のチャネルアクセスまたは送信パラメータを適応させることによって、通信パラメータの値を適応させ得る。次いで、状態４０６において、ＳＴＡ１０６は、適応された通信パラメータの値を使用してデータのパケットを送信する。
【００６０】
[0069]  ある特定の実施形態では、ＳＴＡ１０６は、識別されたチャネルアクセスパラメータまたは以前使用された送信パラメータに基づいて１つまたは複数のチャネルアクセスまたは送信パラメータを適応させるためのルールを識別する情報を含むメッセージを受信するための手段を含む。ある特定の実施形態では、受信するための手段は、図２Ｂの受信機２１２Ｂのような受信機を備え得る。ＳＴＡ１０６は、識別されたチャネルアクセスパラメータまたは以前使用された送信パラメータに基づいて１つまたは複数のチャネルアクセスまたは送信パラメータを適応させるためにルールを適用するための手段をさらに含み得る。ある特定の実施形態では、ルールを適用させるための手段は、図１Ｂのプロセッサ１６８のようなプロセッサを備え得る。ＳＴＡ１０６は、１つまたは複数の適応されたチャネルアクセスまたは送信パラメータを使用してデータを送信するための手段をさらに含む。ある特定の実施形態では、データを送信するための手段は、図２Ｂの送信機２１０Ｂのような送信機を備え得る。
【００６１】
[0070]  ある特定の実施形態では、ＳＴＡ１０６にとってアクセス可能なデータ構造は、ＡＰ１０４または業界規格によって特定されたＱｏＳターゲットによって指示されるような、識別されたチャネルアクセスパラメータまたは以前使用された送信パラメータに、優先度値を関連させるための１つまたは複数のルールを定義することができる。次いで、優先度値は、ＳＴＡ１０６からＡＰ１０４にデータを送信する際に使用される１つまたは複数のチャネルアクセスまたは送信パラメータを適応させるために利用され得る。一実施形態では、識別されたチャネルアクセスパラメータまたは以前使用された送信パラメータは、ＳＴＡ１０６タイプ（例えば、センサ、非センサ、バッテリ動作型、主体動作型、等）、特定のグループのメンバーシップ、トラフィックのタイプ、または他の基準に依存して、異なるＳＴＡが異なるチャネルアクセスパラメータを使用し得るため、ＳＴＡ１０６によって決定される。特定の実施形態では、各ＳＴＡ１０６タイプまたはグループに関連付けられた（または、他の基準に基づいた）異なる識別されたチャネルアクセスパラメータまたは以前使用された送信パラメータの値が、業界規格（例えば、ＩＥＥＥ８０２.１１ａｈ）で定義され得、その業界規格に準拠したすべてのＳＴＡによって知られ得る。次いで、これらチャネルアクセスパラメータは、ＡＰ１０４によって定められるルールに基づいて適応され得る。
【００６２】
[0071]  ある実施形態に係る、チャネルアクセスパラメータを優先度値に関連付けるために使用されるデータ構造５００が図５Ａに例示される。データ構造５００は、表の形式であり、ＳＴＡのメモリ内の、図１ＡのＳＴＡ１０６にとってアクセス可能な関係データベースに記憶され得る。データ構造５００は、インデックス５０２、ＱｏＳターゲット５０４、およびインデックスまたはＱｏＳターゲットに関連付けられたルール５０６を示す様々な列を含む。ある特定の実施形態では、ルールを識別する情報は、インデックス５０２、ＱｏＳターゲット５０４、または、ルール５０６のうちの１つを識別するために使用され得る任意の他のタイプの情報の値であり得る。ルールの各々は、通信パラメータ（すなわち、チャネルアクセスパラメータまたは送信パラメータ）の値を適応させるためのプロセスの一環として、優先度値と少なくとも１つの識別されたチャネルアクセスパラメータまたは以前使用された送信パラメータとの関係を特定する。また、ルールの各々は、ＳＴＡ１０６からの通信に関する特定のサービス品質および特定の優先度を定める。データ構造５００は、ある特定の実施形態では、データ構造５００が単にＱｏＳをルールと、インデックスをルールと、または任意の他の識別子（または、識別子として使用され得る任意の情報）をルールと関連させるため、インデックスまたはＱｏＳターゲットの両方を含む必要があるけではない。データ構造５００は、「ｎ」というインデックス値およびＱｏＳターゲット値で示されるように任意の数のルールを含むことができる。例示される実施形態では、ルールは、識別されたチャネルアクセスパラメータまたは以前使用された送信パラメータに基づいて優先度値を設定するためにプロセッサによって使用され得る。例えば、これに限定されないが、優先度値は、優先度値＝ＴＸＯＰ制限値である、上述の式（１）または式（２）により設定され、あるいは、優先度値＝ＣＷｍａｘ−ＣＷｍｉｎである。、識別されたチャネルアクセスパラメータまたは以前使用された送信パラメータと優先度値との特定の関係が本明細書で説明されるが、異なる実施形態にしたがって、識別されたチャネルアクセスパラメータまたは以前使用された送信パラメータと優先度値との任意の関係が利用され得る。
【００６３】
[0072]  特定の実施形態では、ＳＴＡ１０６にとってアクセス可能なデータ構造５００は、ＡＰ１０４または業界規格によって特定される優先度値にしたがって、１つまたは複数のチャネルアクセスまたは送信パラメータを適応させるための１つまたは複数のルールを定義することができる。優先度値は、優先度値が大きいとき、優先度がより低いときと比べて、局からのデータがＡＰ１０４に送られる可能性が高くなるように、１つまたは複数のチャネルアクセスまたは送信パラメータの適応に関連させられ得る。
【００６４】
[0073]  ある実施形態に係る、優先度値を適応セッティングに関連付けるために使用されるデータ構造５５０が図５Ｂに例示される。データ構造５５０は、表の形式であり、ＳＴＡのメモリ内の、図１ＡのＳＴＡ１０６にとってアクセス可能な関係データベースに記憶され得る。データ構造５５０は、優先度値５５２と、識別されたチャネルアクセスパラメータまたは以前使用された送信パラメータから確立された優先度値に基づいてチャネルアクセスまたは送信パラメータを適応させるための適応セッティング５５４とを示す列を含む。データ構造５５０は、「ｎ」という優先度値で示されるように任意の数の優先度値／適応セッティングを含むことができる。ある特定の実施形態では、優先度値は、低い優先度値（「０」であるがそれに限定されない）から、任意の値「ｎ」に設定された任意の値までの複数の値の連続スペクトルであり得る。それによって、適応セッティングは、チャネルアクセスまたは送信パラメータを、値の連続スペクトルに関連させ得る。特定の実施形態では、優先度値は、ディスクリート優先度値レベルの限定数（整数であるがそれらに限定されない）にスケーリングされ得る。それによって、チャネルアクセスまたは送信パラメータを適応させるための関連させられた適応セッティングもまた、チャネルアクセスまたは送信パラメータを適応させるための限定数のセッティングに設定され得る。チャネルアクセスまたは送信パラメータのための適応セッティングと優先度値との特定の関係が本明細書では説明されるが、異なる実施形態にしたがって、適応セッティングと優先度値との任意の関係が利用され得る。
【００６５】
[0074]  ある実施形態に係る、サービス品質ターゲットに基づいて、適応されたチャネルアクセスまたは送信パラメータでデータを送信するためのプロセスを例示するフローチャートが図６に例示される。プロセス６００は、図１ＡのＳＴＡ１０６によって行われ得る。状態６０２において、ＱｏＳターゲットに基づいたルールが決定される。ＱｏＳターゲットは、ＡＰ１０４から受信されたメッセージから識別され得る。次に、状態６０４において、識別されたチャネルアクセスパラメータまたは以前使用された送信パラメータがＳＴＡによって決定される６０４。識別されたチャネルアクセスパラメータまたは以前使用された送信パラメータは、業界規格および／またはＳＴＡ１０６（ＳＴＡ１０６のタイプまたはＳＴＡの対象動作等であるがそれらに限定されない）等であるがそれらに限定されない任意の基準に基づいて決定され得る。次に、状態６０６において、優先度値が、このルールを利用して決定される。ルールは、優先度値と少なくとも１つの識別されたチャネルアクセスパラメータまたは以前使用された送信パラメータとの関係を設定することができる。次に、状態６０８において、適応セッティングが、決定された優先度値に基づいて決定される。次に、状態６１０において、適応セッティングに基づいて設定されたチャネルアクセスまたは送信パラメータを使用してデータが送信される。
【００６６】
[0075]  ある特定の実施形態では、ルールを識別するメッセージが、ビーコンフレームで、アソシエーション応答で、プローブ応答で、管理フレームを通じた動作中に、または情報エレメントを用いて、等であるがそれらに限定されない任意の形式の通信でＡＰ１０４からＳＴＡ１０６に送られ得る。
【００６７】
[0076]  特定の実施形態では、メッセージは、インデックスか、あるいはルールまたは関連付けられたルールを有するＱｏＳターゲットを識別する他の識別子を符号化するフィールドから構成され得る。特定の実施形態では、メッセージは、１つまたは複数の、ＳＴＡのグループまたはＳＴＡのタイプについてであり得る。ルールの識別子は、新しいフィールドとしてビーコンフレームに含まれ得るか、ＥＤＣＡパラメータセットＩＥに含まれ得る。別の実施形態では、新しい情報エレメントは、ＳＴＡの各々、またはＳＴＡのタイプ、またはＳＴＡのグループのうちの１つまたは複数に対して、識別されたチャネルアクセスパラメータまたは以前使用された送信パラメータに基づいて１つまたは複数のチャネルアクセスまたは送信パラメータを適応させるためのルールを記憶するよに定義され得る。これらＥＤＣＡパラメータセットＩＥのうちの１つまたは複数は、ビーコンに含まれ得るか、または、アソシエーション／再アソシエーション中に（例えば、アソシエーション／再アソシエーション応答メッセージにおいて）送られ得る。ゆえに、異なるＳＴＡまたはＳＴＡのグループまたはＳＴＡのタイプは、識別されたチャネルアクセスパラメータまたは以前使用された送信パラメータに基づいて１つまたは複数のチャネルアクセスまたは送信パラメータを適応させるための異なるルールを有し得る。
【００６８】
[0077]  一実施形態では、各ＳＴＡ、すなわちＳＴＡのグループまたはＳＴＡのタイプは、所与の時間インターバル内だけで、識別されたチャネルアクセスパラメータまたは以前使用された送信パラメータに基づいて１つまたは複数のチャネルアクセスまたは送信パラメータを適応させるためのルールを使用し得る。一実施形態では、１つまたは複数のチャネルアクセスに適合するルール、または識別されたチャネルアクセスパラメータまたは従前に使用された送信パラメータに基づく送信パラメータが、各ＳＴＡ、または複数ＳＴＡのグループ、または複数のＳＴＡのタイプに関して設定され、または、アソシエーションの期間に、ビーコン内で使用され、表示することができ、または、複数のビーコンとしてあらかじめ定義することができ、またはアップリンクアクセスのときにある時間期間に制限することができる、時間期間が許可される。別の実施形態では、ある特定のタイプのＳＴＡは、識別されたチャネルアクセスパラメータまたは以前使用された送信パラメータに基づいて１つまたは複数のチャネルアクセスまたは送信パラメータを適応させるための同じルールを使用して動作し得る。
【００６９】
[0078]  一実施形態では、ＳＴＡ１０６は、識別されたチャネルアクセスパラメータまたは以前使用された送信パラメータに基づいて１つまたは複数のチャネルアクセスまたは送信パラメータを適応させためのルールをＡＰ１０４に要求し得る。例えば、ＳＴＡ１０６は、ある特定のＱｏＳターゲット内で動作する許可（allowance）を要求しているだろう。ＡＰ１０４は、この要求を、承認（grant）、拒否、または修正することができる。ある特定の実施形態では、ＳＴＡ１０６は、ＡＰ１０４によってアドバタイズされたように特定のＱｏＳターゲットでアクセスが許可されることを要求し得る。ＡＰ１０４は、要求するＳＴＡ１０６を含むようにそのＱｏＳターゲットを有するグループを修正すること、あるいは、特定のＱｏＳターゲットを有するグループに関連付けられるようにＳＴＡ１０６のアソシエーションを変更することのいずれかを行うことができる。
【００７０】
[0079]  特定の実施形態では、ＡＰ１０４は、ＳＴＡ１０６に、すなわちＳＴＡ１０６のグループにまたは１つまたは複数のタイプのＳＴＡ１０６に、１つまたは複数の拡張分散チャネルアクセス（ＥＤＣＡ）パラメータセット情報エレメント（ＩＥ）において、識別されたチャネルアクセスパラメータまたは以前使用された送信パラメータに基づいて１つまたは複数のチャネルアクセスまたは送信パラメータを適応させるためのルールを連続的に示し得る。１つまたは複数のＥＤＣＡパラメータセットＩＥは、アソシエーション／再アソシエーション中に（例えば、アソシエーション／再アソシエーション応答メッセージ内のデータとして）送られ得るか、または、ビーコンフレームに含まれ得る。一実施形態では、ＥＤＣＡパラメータセットＩＥは、ＩＥＥＥ８０２.１１規格で定義され得る。別の実施形態では、ＥＤＣＡパラメータセットＩＥは、ＳＴＡ１０６の各グループまたはＳＴＡ１０６のタイプに対して１つまたは複数のルールを付加することによって、ＩＥＥＥ８０２.１１規格によって定義されているものから拡張される。
【００７１】
[0080]  図７のシステムのアクセスポイントと局との間の通信のプロセスを例示するタイミング図７００が、ある実施形態にしたがって図１Ａに例示される。プロセスは、図１ＡのＳＴＡ１０６またはＡＰ１０４によって行われることができる。プロセスは、ＳＴＡ１０６が、ＡＰ１０４からのＱｏＳターゲットを要求すること（７０６）を含む。ＳＴＡ１０６は、デフォルトではＡＰ１０４との接続に応じて、または、特定のＱｏＳターゲットが保証されることをＳＴＡ１０６が決定したとき、を含む任意の方法でＱｏＳターゲットを要求することができる。次いで、ＡＰ１０４は、識別されたチャネルアクセスパラメータまたは以前使用された送信パラメータに基づいて１つまたは複数のチャネルアクセスまたは送信パラメータを適応させるルールを識別するメッセージをＳＴＡ１０６に送ることができる（７０８）。ルールは、ＱｏＳターゲットを達成するために、ＱｏＳターゲットに関連付けられることができる。ルールは、ルール自体を通してＳＴＡ１０６に送ることによってであるか、または、ルールを識別するためにＳＴＡ１０６によって使用され得るＱｏＳターゲットの識別情報（ＱｏＳターゲットを識別するインデックス値等であるがそれに限定されない）の形式であり得る。ＳＴＡ１０６は、ルールを識別するメッセージを利用して、このルールに基づいてチャネルアクセスまたは送信パラメータを適応させる（７１０）ことができる。ある特定の実施形態では、ルールは、チャネルアクセスパラメータと優先度値との関係を設定することができる。次いで、優先度値は、チャネルアクセスまたは送信パラメータの適応に利用され得る。次いで、ＳＴＡ１０６は、適応したチャネルアクセスまたは送信パラメータでデータをＡＰ１０４に送ることができる（７１２）。
【００７２】
[0081]  本明細書で使用される場合、「決定すること」という用語は、幅広い動作を包含する。例えば、「決定すること」は、算出すること、計算すること、処理すること、導出すること、調査すること、ルックアップすること（例えば、表、データベース、または別のデータ構造をルックアップすること）、確定すること、等を含み得る。また、「決定すること」は、受信すること（例えば、情報を受信すること）、アクセスすること（例えば、メモリにおけるデータにアクセスすること）、等を含み得る。また、「決定すること」は、解決すること、選択すること、選ぶこと、確立すること、等を含み得る。さらに、本明細書で使用される場合、「チャネル幅」は、ある特定の態様では、帯域幅を包含し得るか、または帯域幅とも呼ばれ得る。
【００７３】
[0082]  本明細書で使用される場合、項目のリスト「のうちの少なくとも１つ」という表現は、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図される。
【００７４】
[0083]  上記に説明された方法の様々な動作は、様々なハードウェアおよび／またはソフトウェアの構成要素（１つまたは複数）、回路、および／またはモジュール（１つまたは複数）等の、これら動作を行うことが可能な任意の適切な手段によって行われ得る。一般に、図において例示された任意の動作は、これら動作を行うことが可能な対応する機能的な手段によって行われ得る。
【００７５】
[0084]  本開示に関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェア構成要素、あるいは本明細書で説明された機能を行うよう設計されたこれらの任意の組み合わせで実装され得るかまたは行われ得る。汎用プロセッサはマイクロプロセッサであり得るが、代替的に、プロセッサは任意の市販のプロセッサ、コントローラ、マイクロコントローラ、またはステートマシンであり得る。プロセッサはまた、コンピューティングデバイスの組み合わせ、例えば、ＤＳＰと、１つのマイクロプロセッサ、複数のマイクロプロセッサ、ＤＳＰコアに連結した１つまたは複数のマイクロプロセッサ、あるいは任意の他のそのような構成との組み合わせとして実装され得る。
【００７６】
[0085]  １つまたは複数の例では、説明された機能は、ハードウェア、ソフトウェア、ファームウェア、またはこれらの任意の組み合わせで実装され得る。ソフトウェアで実装される場合、これら機能は、コンピュータ可読媒体において、１つまたは複数の命令またはコードとして、記憶または送信され得る。コンピュータ可読媒体は、ある箇所から別の箇所へのコンピュータプログラの移送を容易にする任意の媒体を含む通信媒体およびコンピュータ記憶媒体の両方を含む。記憶媒体は、コンピュータによりアクセスされることができる任意の利用可能な媒体であり得る。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができる任意の他の媒体を備え得る。また、任意の接続は厳密にはコンピュータ可読媒体と称され得る。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ディスク（disk）は、通常磁気的にデータを再生し、ディスク（disc）は、レーザーを用いて光学的にデータを再生する。したがって、いくつかの態様では、コンピュータ可読媒体は、非一時的なコンピュータ可読媒体（例えば、有形媒体）を備え得る。加えて、いくつかの態様では、コンピュータ可読媒体は、一時的なコンピュータ可読媒体（例えば、信号またはチャネル）を備え得る。上記の組み合わせもまた、コンピュータ可読媒体の範囲内に含まれるべきである。
【００７７】
[0086]  本明細書で開示された方法は、説明された方法を達成するための１つまたは複数のステップまたは動作を備える。方法のステップおよび／または動作は、特許請求の範囲から逸脱することなく互いに置き換えられ得る。換言すると、ステップまたは動作の特定の順序が明記されない限り、特定のステップおよび／または動作の順序および／または使用は、特許請求の範囲から逸脱することなく修正され得る。
【００７８】
[0087]  説明された機能は、ハードウェア、ソフトウェア、ファームウェア、またはそれらの任意の組み合わせにおいて実装されることができる。ソフトウェアで実装される場合、これら機能は、コンピュータ可読媒体上で、１つまたは複数の命令として記憶され得る。記憶媒体は、コンピュータによりアクセスされることができる任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができる任意の他の媒体を備え得る。本明細書で使用される場合、ディスク（disk）およびディスク（disc）は、コンパクトディスク（ＣＤ）、レーザーディスク、光ディスク、デジタル多用途ディスク（ＤＶＤ）、フロッピーディスク、およびブルーレイディスクを含み、ディスク（disk）は、通常磁気的にデータを再生し、ディスク（disc）は、レーザーを用いて光学的にデータを再生する。
【００７９】
[0088]  したがって、ある特定の態様は、本明細書で提示された動作を行うためのコンピュータプログラム製品を備え得る。例えば、このようなコンピュータプログラム製品は、命令を記憶（および／または符号化）しているコンピュータ可読媒体を備え得、これら命令は、本明細書で説明された動作を行うために１つまたは複数のプロセッサによって実行可能である。ある特定の態様について、コンピュータプログラム製品は、パッケージング材料を含み得る。
【００８０】
[0089]  ソフトウェアまたは命令はまた、伝送媒体上で送信され得る。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、伝送媒体の定義に含まれる。
【００８１】
[0090]  さらに、本明細書で説明された方法および技法を行うためのモジュールおよび／または他の適切な手段が、適宜、ユーザ端末および／または基地局によってダウンロードされ得ることおよび／または他の方法で取得され得ることは認識されるべきである。例えば、このようなデバイスは、本明細書で説明された方法を行うための手段の移送を容易にするためにサーバに結合され得る。代替として、本明細書で説明された様々な方法は、ユーザ端末および／または基地局が、デバイスへの記憶手段の結合または提供を受けて様々な方法を取得することができるように、記憶手段（例えば、ＲＡＭ、ＲＯＭ、コンパクトディスク（ＣＤ）またはフロッピーディスクのような物理記憶媒体、等）を介して提供され得る。さらに、本明細書で説明された方法および技法をデバイスに提供するための任意の他の適切な技法が、利用され得る。
【００８２】
[0091]  特許請求の範囲が上に例示されたとおりの構成および構成要素に限定されないことは理解されるべきである。様々な修正、変更、および変形が、本願の特許請求の範囲から逸脱することなく、上述された方法および装置の構成、動作、および詳細に対してなされ得る。
【００８３】
[0092]  前述の内容は、本開示の態様を対象とするが、本開示の他のおよびさらなる態様が、これらの基本的な範囲から逸脱することなく考案され得、その範囲は、以下に示す特許請求の範囲によって決定される。
【図１Ａ】
2016528795.tif 000003
【図１Ｂ】
2016528795.tif 000004
【図２Ａ】
2016528795.tif 000005
【図２Ｂ】
2016528795.tif 000006
【図３】
2016528795.tif 000007
【図４】
2016528795.tif 000008
【図５Ａ】
2016528795.tif 000009
【図５Ｂ】
2016528795.tif 000010
【図６】
2016528795.tif 000011
【図７】
2016528795.tif 000012
【国際調査報告】
2016528795.tif 000013
2016528795.tif 000014
2016528795.tif 000015